(57)【要約】【課題】調理作業性および意匠性に優れた換気装置付き厨房装置を提供する。【解決手段】こんろ２１を備えたこんろ付き調理台２と、該こんろの上方に配置され、天蓋部４１と送風部４２とを有した換気装置４とを備えた換気装置付き厨房装置１Ａであって、上記こんろ付き調理台のカウンター２０の上面手前側に調理作業スペースＳが設けられ、その奥方には、上記こんろが配置されるとともに、上記こんろの発熱体２２の外周を鉛直上方から覆うように設けられた上記天蓋部の前端位置４１ａが、平面視において上記こんろの前端位置よりも後退し上記発熱体の前端２２ａに近接するよう配置されていることを特徴とする。【選択図】図１
2010011988.tif 000002
【特許請求の範囲】
【請求項１】
こんろを備えたこんろ付き調理台と、該こんろの上方に配置され、天蓋部と送風部とを有した換気装置とを備えた換気装置付き厨房装置であって、
上記こんろ付き調理台の天板の上面手前側に調理作業スペースが設けられ、その奥方には、上記こんろが配置されるとともに、
上記こんろの発熱体の外周を鉛直上方から覆うように設けられた上記天蓋部の前端位置が、平面視において上記こんろの前端位置よりも後退し上記発熱体の前端に近接するよう配置されていることを特徴とする換気装置付き厨房装置。
【請求項２】
請求項１において、
上記換気装置の側方には、吊戸棚が隣接して設けられており、平面視においてこの吊戸棚の扉体の前面は上記天蓋部の前端位置と面一となるよう構成されていることを特徴とする換気装置付き厨房装置。
【請求項３】
請求項１において、
上記換気装置の側方には、吊戸棚が隣接して設けられており、平面視においてこの吊戸棚の扉体の前面に設けられる把手の前縁は上記天蓋部の前端位置と略同一に位置するよう構成されていることを特徴とする換気装置付き厨房装置。
【請求項４】
請求項１又は請求項２において、
上記天蓋部の上方且つ上記送風部以外の空間には、収納部が設けられており、平面視においてこの収納部の扉体の前面は上記天蓋部の前端位置と面一となるように構成されていることを特徴とする換気装置付き厨房装置。
【請求項５】
請求項１又は請求項３において、
上記天蓋部の上方且つ上記送風部以外の空間には、収納部が設けられており、平面視においてこの収納部の扉体の前面に設けられる把手の前縁は上記天蓋部の前端位置と略同一に位置するよう構成されていることを特徴とする換気装置付き厨房装置。
【請求項６】
請求項１から５のいずれか１項において、
天蓋部の正面視高さは、吊戸棚の把手の正面視高さ寸法に合わせて構成したことを特徴とする換気装置付き厨房装置。
【発明の詳細な説明】
【技術分野】
【０００１】
本発明は、こんろを備えたこんろ付き調理台と、該こんろの上方に配置され、天蓋部と送風部を有した換気装置とを備えた換気装置付き厨房装置に関する。
【背景技術】
【０００２】
従来より、キッチンの床面に設置されるこんろ付き調理台に組込まれたこんろの鉛直上方に油煙などの廃気を捕集し排気する換気装置が設けられた換気装置付き厨房装置が知られている。
換気装置は、油煙などを捕集する天蓋部と、捕集した油煙などを吸引し外部に排気する送風部とを備えており、天蓋部は、こんろ付き調理台のこんろを覆うように設けられるため、前方に大きく張り出すように設けられていた。
このように天蓋部が前方に張り出すように設けられた換気装置付き厨房装置としては、下記特許文献１が挙げられる。
【特許文献１】特開２００７−９３１３１号公報
【発明の開示】
【発明が解決しようとする課題】
【０００３】
このような厨房装置の場合、こんろの調理作業中に張り出した天蓋部に頭をぶつけるおそれがあるため、天蓋部を気にしながら調理作業する必要があり、煩わしさを生じていた。
その一方で、調理により発生する油煙などを確実に捕集し、効率的に排気する換気装置を備えたものでありながら、意匠性の観点からも天蓋部の張り出しを抑え、すっきりしたデザインのものが求められていた。
【０００４】
本発明は上記課題を解決するためになされたものであり、調理作業性および意匠性に優れた換気装置付き厨房装置を提供することを目的としている。
【課題を解決するための手段】
【０００５】
上記目的を達成するために本発明の換気装置付き厨房装置は、こんろを備えた調理台と、該こんろの上方に配置され、天蓋部と送風部とを有した換気装置とを備えた換気装置付き厨房装置であって、上記こんろ付き調理台の天板の上面手前側に調理作業スペースが設けられ、その奥方には、上記こんろが配置されるとともに、上記こんろの発熱体の外周を鉛直上方から覆うように設けられた上記天蓋部の前端位置が、平面視において上記こんろの前端位置よりも後退し上記発熱体の前端に近接するよう配置されていることを特徴とする。
ここで用いられるこんろとしては、例えば電磁誘導調理器を好ましく用いることができるが、その他の加熱調理器であってもよい。調理作業スペースは、料理を盛り付ける皿を置く場所、或いは、鍋等の調理道具を仮置きする場所などとして使用される。
【０００６】
本発明において、上記換気装置の側方には、吊戸棚が隣接して設けられており、この吊戸棚の扉体の前面を上記天蓋部の前端位置と面一となるよう構成したものとしてもよい。或いは、上記吊戸棚の扉体の前面に突出して設けられる把手の前縁と天蓋部の前端位置とを略同一に構成したものとしてもよい。
また上記天蓋部の上方且つ上記送風部以外の空間には、収納部が設けられており、この収納部の扉体の前面は上記天蓋部の前端位置と面一となるように構成されているものとしてもよい。或いは、収納部の扉体の前面に設けられる把手の前縁と上記天蓋部の前端位置とを略同一に位置するよう構成したものとしてもよい。
更に天蓋部の正面視高さは、吊戸棚の把手の正面視高さ寸法に合わせて構成したものとしてもよい。
【発明の効果】
【０００７】
本発明の換気装置付き厨房装置によれば、こんろの発熱体の外周を鉛直上方から覆うように設けられた天蓋部の前端位置が、平面視において上記こんろの前端位置よりも後退し上記発熱体の前端に近接するよう配置されているので、天蓋部の張り出しが抑制され、発熱体の前に調理作業スペースを設けた場合でも、天蓋部に頭をぶつけるおそれがなく、調理作業性のよいものとすることができる。
また天蓋部の張り出しが抑制されるので、すっきりとしたデザインとなって意匠性に優れたものとすることができ、換気装置付き厨房装置の上方空間に広がりが生まれ開放感を持たせることができる。
また、少なくとも発熱体の外周は天蓋部によって覆われた状態となっているので、油煙などを確実に補集することができる。
【発明を実施するための最良の形態】
【０００８】
以下、図とともに本発明の実施の形態について説明する。
図１は本発明の一実施形態（第一実施形態）に係る換気装置付き厨房装置を説明するための概略側面図、図２は同換気装置付き厨房装置の全体斜視図、図３は同換気装置付き厨房装置の概略平面図、図４は本発明の別の実施形態（第二実施形態）の換気装置付き厨房装置を説明するための概略側面図、図５は図４に示す換気装置付き厨房装置の全体斜視図、図６は図４に示す換気装置付き厨房装置の概略平面図、図７は図４に示す換気装置付き厨房装置の変形例を示す概略平面図である。
【０００９】
まずは図１〜図３に基づいて、本発明の換気装置付き厨房装置１Ａについて説明する。
ここに示す換気装置付き厨房装置１Ａは、床面に、こんろ付き調理台２を含み複数の調理台キャビネットを一列に並べた配置とし、壁面には、収納部３及び吊戸棚５とを設置し、こんろ２の上方には天蓋部４１と送風部４２とを備えた換気装置４が配置されている。
こんろ付き調理台２の上面は、他の調理台上を含んでカウンター２０が設けられており、カウンター２０には、こんろ２１と、シンク部２４が設けられている。
カウンター２０の下方は、扉式或いは引出し式の収納部を並設して構成し、調理器具や調味料などが収納できるようになっている。
カウンター２０の上面手前側には、料理を盛り付ける皿を置く場所、或いは、鍋等の調理道具を仮置きする場所などとして使用される調理作業スペースＳが設けられ、その奥方には、上記こんろ２１が配置されている。
【００１０】
こんろ２１は、電磁調理器（ＩＨヒータ）としての発熱体２２と、発熱体２２を囲むプレート部２３とから構成される。調理作業スペースＳは、カウンター２０の手前側端部２０ａから発熱体２２の前端２２ａまでの間において、上記の如き調理作業が行える幅寸法を確保するよう構成されている。この調理作業スペースＳの奥行き幅寸法は特に制約されるものではないが、およそ１００ｍｍ〜３００ｍｍとするのが程よい大きさとして例示される。
ここでは発熱体２２が平行に３口並んだ電磁調理器を図示しているが、２口等であってもよい。
【００１１】
こんろ２１の上方には、加熱調理の際に発生する湯気、油煙などの廃気を捕集するための捕集用天蓋部４１と、ファンなどが内蔵され、天蓋部４１で捕集した廃気を吸引して排気ダクト（不図示）を通じて外気に排気する送風部４２とを有した換気装置４が設けられている。
天蓋部４１は、発熱体２２の外周を鉛直上方から覆うように設けられており、天蓋部４１の幅方向の寸法Ｗ（図３参照）は、プレート部２３の幅方向の寸法と略一致するよう構成されている。
天蓋部４１の上方且つ送風部４２以外の空間には、収納部３が設けられており、換気装置４の前面は幕板４３が配設されている。また換気装置４の側方（図２）には、収納部３に隣接して吊戸棚５が設けられている。
収納部３及び吊戸棚５の前面には開閉可能に構成された扉体３０、５０が設けられている。扉体３０、５０の前面下端側にはそれぞれ把手３１、５１が突設されている。
【００１２】
天蓋部４１の前端位置４１ａは、発熱体２２の前端２２ａと略一致するとともに、収納部３の扉体３０及び吊戸棚５の扉体５０の前面位置は、天蓋部４１の前端位置４１ａと平面視において略一致するように構成されている（図１、図３参照）。このように、天蓋部４１の前端位置４１ａを、収納部３の扉体３０の前面、吊戸棚５の扉体５０の前面位置と一致させることで、換気装置付き厨房装置１Ａの外観に統一感がもたらされ、意匠性に優れたものとすることができる
ここでは、天蓋部４１の前端位置４１ａが発熱体２２の前端２２ａと略一致する例を示しているが、これに限定されず、平面視においてこんろ２１の前端位置、すなわちプレート部２３の前端位置２３ａよりも後退し発熱体２２の前端２２ａに近接するよう配置されるものでもよい。
【００１３】
これによれば、天蓋部４１の張り出しが抑制されるので、発熱体２２の前に調理作業スペースＳを設けた場合でも、図１に示すように天蓋部４１に頭をぶつけるおそれがなく、調理作業性のよいものとすることができる。
また天蓋部４１の張り出しが抑制されるので、図２に示すようにすっきりとしたデザインとなり、意匠性に優れたものとすることができ、換気装置付き厨房装置１Ａの上方空間に広がりが生まれ、開放感を持たせることができる。
更に発熱体２２の外周は天蓋部４１によって覆われた状態とできるので、油煙などを確実に補集することができる。
また、作業スペースSを設けることで、フライパンの柄がカウンター２０の前縁より手前に突出することがなく、調理作業性もより良いものになる。
【００１４】
そして図のように、天蓋部４１の上部に収納部３を備えたものとすれば、天蓋部４１の上方且つ送風部４２以外の空間を有効に最大限活用することができ、厨房装置１A全体の収納量がより増大する利便性が付加される。また天蓋部４１の張り出しが抑制されているので、天蓋部４１の上方に設けられている収納部３の把手３１に容易に手が届き、扉体３０の開閉動作や収納部３への収納物の出し入れを楽に行うことができる。
尚、本実施形態は図示していないが、後記するＬ字配置の吊戸棚６を備えた場合にも適用可能であることはいうまでもなく、同様の効果を奏するものとすることができる。
【００１５】
次に、図４〜図６に基づいて、前述した第一実施形態の換気装置付き厨房装置１Ａとは異なる別の実施形態（第二実施形態）に係る換気装置付き厨房装置１Ｂについて説明する。尚、上述と共通する部分には共通の符号を付し、その説明は割愛する。
この実施形態に示す換気装置付き厨房装置１Ｂは、天蓋部４１の前端位置４１ａが収納部３の把手３１の前縁３１ａと略同一に位置するよう構成されている例を示している。
このように、天蓋部４１の前端位置４１ａを収納部３の扉体３０の前面に突出して設けられる把手３１の前縁３１ａと略同一に位置するようにすれば、図４に示すように成人の手指の長さ分程度（およそ１００ｍｍ程度）奥方に扉体３０の前面が位置することになる。
そして天蓋部４１の前端位置４１ａは第一実施形態のものより若干前方に突出していることにはなるが、その突出量Ｄ（図４参照）を１００ｍｍ以下とすれば、調理作業スペースＳでの調理作業性を害することがないものとすることができる。ここで突出量Ｄが１００ｍｍより大きい場合は、把手３１に手が届きにくいものとなるとともに、調理作業性を低下させることとなり好ましくない。
【００１６】
吊戸棚５の構成は、図例のものに限定されるものではないが、図５に示すように、収納部３に隣接して設けられる吊戸棚５の扉体５０の前面と収納部３の扉体３０の前面を面一に構成すれば、統一感のある意匠性の高いものとすることができる。
【００１７】
またこの第二実施形態は、上述の第一実施形態とは天蓋部４１の前端位置４１ａが平面視において加熱調理体２１の前端位置、すなわちプレート部２３の前端位置２３ａと発熱体２２の前端２２ａとの間に配置される点で異なる。
これによれば、フライパンや鍋などを発熱体２２に置く位置が多少手前にずれた場合でも油煙などの補集を確実に行うことができる。
ここでは天蓋部４１の前端位置４１ａが平面視において把手３１（把手５１）の前端と一致させてプレート部２３の前端位置２３ａと発熱体２２の前端２２ａとの間に配置される例を示しているが、これに限定されず、天蓋部４１の前端位置４１ａがプレート部２３の前端位置２３ａよりも後退した位置で発熱体２２の前端２２ａに近接するよう配置されるものであれば把手３１（把手５１）の前端と一致していないものであってもよい。また天蓋部４１の前端位置４１ａが収納部３の扉体３０及び吊戸棚５における扉体５０の把手３１、５１の前縁３１ａ、５１ａと一致するよう構成されている例を示しているが、これに限定されず、吊戸棚５の扉体５０における把手５１の前縁５１ａが、天蓋部４１の前端位置４１ａより突出して構成されたものとしてもよい。
【００１８】
更にこの第二実施形態は、換気装置４の側方の手前側方向で且つ該換気装置４と入隅を形成するよう交差する方向には、吊戸棚６が設けられてＬ字配置となっている点でも第一実施形態と異なる。図中のＰは、換気装置付き厨房装置１の入隅を示し、６０は吊戸棚６、６１は把手、６０ａは扉体６０の自由端、６０ｂは扉体６０の回動端を示しており、図６、図７における矢印とともに記載された２点鎖線は、扉体６０を開閉したときの軌跡を示している。
吊戸棚６は前方向に開く扉体６０を備えており、図６に示すように扉体６０の自由端６０ａが入隅Ｐ側に配置されている。
すなわち、天蓋部４１の前端位置４１ａの張り出しが抑制されて構成されているので、従来のように天蓋部が張り出して設けられて換気装置付き厨房装置の場合には採用できなかった位置に扉体６０を設けることができる。
【００１９】
またこれによれば、入隅Ｐ側に扉体６０の自由端６０ａが配置されるものとしても、天蓋部４１の前端位置４１ａや前方角部４１ｂが扉体６０の開閉が支障なくおこなえ、よって、扉体６０の配置位置の設計や収納空間の設計の自由度が増す。更にこのように収納空間として活用できる空間を拡大させることができる。
【００２０】
続く図７は、換気装置付き厨房装置１Ｂの変形例を示した図である。ここに示す変形例は、吊戸棚６における扉体６０の自由端６０ａの配置位置が異なる。
図７に示すように扉体６０の回動端６０ｂが入隅Ｐ側に配置された場合でも、天蓋部４１の前端位置４１ａや前方角部４１ｂが扉体６０の開閉は支障なくおこなえる。
ここで、扉体６０の下端部の高さ位置を収納部３の扉体３０の下端部の高さ位置と一致させれば、扉体６０の開閉は、天蓋部４１の上方で回動開閉することになり、天蓋部４１の前端位置４１ａが扉体６０の開閉に干渉することを防止できる。
【００２１】
換気装置付き厨房装置１Ａ、１Ｂの構成、デザインは図例のものに限定されるものではない。本発明は、例えば換気装置４の側方に収納部３を備えず、吊戸棚５のみが配されたものにも採用することができ、逆に吊戸棚５が設けられていない換気装置付き厨房装置１Ａ、１Ｂにも採用することができる。
また扉体３０、５０、６０に設けられる把手３１、５１、６１は前方に突出したものを示しているが、これに限定されず、扉体５０等の下端側で幅方向に直線的に延び、且つ把手の前縁が扉体の前面と略一致する断面視彫り込み形態のライン型把手としてもよい。
この場合、天蓋部４１の正面視高さを前記のライン型把手の正面視高さと略合わせることにより、厨房装置１Ａ、１Ｂの意匠性が、極めて優れたものとなる。
更に天蓋部４１の横方向の長さＷに関しても、天蓋部４１が全ての発熱体２２の外周を覆うように構成されるものであればよい。
【図面の簡単な説明】
【００２２】
【図１】本発明の一実施形態（第一実施形態）に係る換気装置付き厨房装置を説明するための概略側面図である。
【図２】同換気装置付き厨房装置の全体斜視図である。
【図３】同換気装置付き厨房装置の概略平面図である。
【図４】本発明の別の実施形態（第二実施形態）の換気装置付き厨房装置を説明するための概略側面図である。
【図５】図４に示す換気装置付き厨房装置の全体斜視図である。
【図６】図４に示す換気装置付き厨房装置の概略平面図である。
【図７】図４に示す換気装置付き厨房装置の変形例を示す概略平面図である。
【符号の説明】
【００２３】
１Ａ、１Ｂ      換気装置付き厨房装置
２      こんろ付き調理台
２０      カウンター
２１      こんろ
２２      発熱体
２２ａ      発熱体の前端
２３      プレート部
２３ａ      プレート部の前端位置
３      収納部
３０      扉体
３１      把手
４      換気装置
４１      天蓋部
４１ａ      天蓋部の前端位置
４２      送風部
５      吊戸棚
５０      扉体
５１      把手
Ｓ      調理作業スペース
【図１】
2010011988.tif 000003
【図２】
2010011988.tif 000004
【図３】
2010011988.tif 000005
【図４】
2010011988.tif 000006
【図５】
2010011988.tif 000007
【図６】
2010011988.tif 000008
【図７】
2010011988.tif 000009